(57)【要約】      （修正有）【課題】可能な限り広範に使用できる顕微鏡用フィルタ受容装置を提供する。【解決手段】フィルタ受容装置１０は、互いに独立で且つ同じ回転軸線のまわりに回転可能な２個のフィルタホイール１８，２０を含み、これら両フィルタホイールは回転軸線の方向に見て互いに相対的にずれている。フィルタ受容装置１０は、さらに、回転軸線のまわりに第１のフィルタホイール１８を回転させ且つ第２のフィルタホイール２０を回転させるための駆動ユニット１４を有している。両フィルタホイールは、それぞれ少なくとも１個のフィルタを受容するための多数の受容領域５８，５９等と、フィルタリングせずに光を通過させるための通過領域とを設ける。【選択図】図１
0003176006.tif 000002
【実用新案登録請求の範囲】
【請求項１】
顕微鏡用フィルタ受容装置（１０）において、
回転軸線（１６）のまわりに回転可能に支持されている第１のフィルタホイール（１８）と、
同様に前記回転軸線（１６）のまわりに回転可能に支持され、該回転軸線（１６）の方向において前記第１のフィルタホイール（１８）に対しずれている第２のフィルタホイール（２０）と、
前記第１のフィルタホイール（１８）と前記第２のフィルタホイール（２０）とを前記回転軸線（１６）のまわりに回転させるための駆動ユニット（１４）と、
を有し、
前記第１のフィルタホイール（１８）と前記第２のフィルタホイール（２０）とがそれぞれ少なくとも１個のフィルタ（１１）を受容するための複数個の受容領域（２４，２６，２８，３０，３２，３６，５８，５９）を含み、
前記第１のフィルタホイール（１８）と前記第２のフィルタホイール（２０）とがそれぞれ光をフィルタリングさせずに通過させるための通過領域（３６，５９）を含んでいる、
顕微鏡用フィルタ受容装置（１０）。
【請求項２】
前記第１のフィルタホイール（１８）の前記通過領域（３６）が、該第１のフィルタホイール（１８）の、前記フィルタ（１１）を装備しない受容領域によって形成され、および／または、前記第２のフィルタホイール（２０）の前記通過領域（５９）が、該第２のフィルタホイール（２０）の、前記フィルタ（１１）を装備しない受容領域によって形成されていることを特徴とする、請求項１に記載の顕微鏡用フィルタ受容装置（１０）。
【請求項３】
第１の作動状態で、前記第１のフィルタホイール（１８）の第１の受容領域（２４，３２，３４，３８）と前記第２のフィルタホイール（２０）の前記通過領域（５９）とが整列するように前記第１のフィルタホイール（１８）と前記第２のフィルタホイール（２０）とが回転されていることを特徴とする、請求項１または２に記載の顕微鏡用フィルタ受容装置（１０）。
【請求項４】
前記第１のフィルタホイール（１８）および／または前記第２のフィルタホイール（２０）がそれぞれ着脱可能で且つ復元可能な結合部を介して、特にねじ結合部を介して、軸で支持され、該軸の長手軸線が前記回転軸線（１６）と一致していることを特徴とする、請求項１から３までのいずれか一つに記載の顕微鏡用フィルタ受容装置（１０）。
【請求項５】
前記駆動ユニット（１４）が前記第１のフィルタホイール（１８）および／または前記第２のフィルタホイール（２０）を回転させるための少なくとも１個のステッピングモータを含んでいることを特徴とする、請求項１から４までのいずれか一つに記載の顕微鏡用フィルタ受容装置（１０）。
【請求項６】
前記駆動ユニット（１４）が前記第１のフィルタホイール（１８）および／または前記第２のフィルタホイール（２０）を回転させるために手動操作可能な操作要素を含んでいることを特徴とする、請求項１から５までのいずれか一つに記載の顕微鏡用フィルタ受容装置（１０）。
【請求項７】
前記第１のフィルタホイール（１８）および／または前記第２のフィルタホイール（２０）が、それぞれ、前記第１の回転軸線（１６）のまわりに回転可能な本体（４４）と、着脱可能で且つ復元可能な結合部を介して前記本体（４４）と結合可能な少なくと１個のセグメント（４６，４８，５０，５２，５４）とを含んでいること、前記セグメント（４６，４８，５０，５２，５４）がそれぞれのフィルタホイール（２０）の前記受容領域のうちの少なくとも２つ（５８，５９）を含んでいることを特徴とする、請求項１から６までのいずれか一つに記載の顕微鏡用フィルタ受容装置（１０）。
【請求項８】
前記セグメント（４６，４８，５０，５２，５４）が、それぞれ少なくとも１個のフィルタ（１１）を受容するための少なくとも３個の受容領域（５８，５９）を含んでいることを特徴とする、請求項７に記載の顕微鏡用フィルタ受容装置（１０）。
【請求項９】
前記着脱可能で且つ復元可能な結合部がねじ結合部（６２ないし７０）の形態で形成されていることを特徴とする、請求項７または８に記載の顕微鏡用フィルタ受容装置（１０）。
【請求項１０】
前記セグメント（４６，４８，５０，５２，５４）がリングセグメント状であることを特徴とする、請求項７から９までのいずれか一つに記載の顕微鏡用フィルタ受容装置（１０）。
【請求項１１】
前記セグメント（４６，４８，５０，５２，５４）が雌ねじを備えた取り付け孔（７２）を含み、該取り付け孔（７２）に、前記セグメント（４６，４８，５０，５２，５４）を前記本体（４４）に取り付けるために取り付け補助手段がねじ込み可能であることを特徴とする、請求項７から１０までのいずれか一つに記載の顕微鏡用フィルタ受容装置（１０）。
【請求項１２】
前記第１のフィルタホイール（１８）および／または前記第２のフィルタホイール（２０）が、それぞれ、着脱可能で且つ復元可能な結合部を介して前記本体（４４）と結合可能な少なくとも２個のセグメント（４６，４８，５０，５２，５４）を含み、該セグメント（４６，４８，５０，５２，５４）が、それぞれ、それぞれのフィルタホイール（１８，２０）の前記受容領域（５８，５９）の少なくとも２個、好ましくは少なくとも３個を含んでいることを特徴とする、請求項７から１１までのいずれか一つに記載の顕微鏡用フィルタ受容装置（１０）。
【請求項１３】
前記第１のフィルタホイール（１８）のすべての受容領域（５８，５９）および／または前記第２のフィルタホイール（２０）のすべての受容領域（５８，５９）がそれぞれのフィルタホイール（１８，２０）の前記セグメント（４６，４８，５０，５２，５４）内に配置されていることを特徴とする、請求項１２に記載の顕微鏡用フィルタ受容装置（１０）。
【請求項１４】
前記第１のフィルタホイール（１８）および／または前記第２のフィルタホイール（２０）が、それぞれ着脱可能で且つ復元可能な結合部を介して前記本体（４４）と結合可能な複数個のリングセグメント状のセグメント（４６，４８，５０，５２，５４）をそれぞれ含み、これらセグメント（４６，４８，５０，５２，５４）が協働して１つの閉じたリングを形成していることを特徴とする、請求項７から１３までのいずれか一つに記載の顕微鏡用フィルタ受容装置（１０）。
【請求項１５】
請求項１から１４までのいずれか一つに記載のフィルタ受容装置（１０）を備えた顕微鏡において、
第１の作動状態で、前記第１のフィルタホイール（１８）の第１の受容領域（２４，３２，３４，３８）に受容されている第１のフィルタ（１１）と前記第２のフィルタホイール（２０）の前記通過領域（５９）とが顕微鏡の光路内に配置されるように、前記第１のフィルタホイール（１８）と前記第２のフィルタホイール（２０）とが回転されていること、
第２の作動状態で、前記第２のフィルタホイール（２０）の第２の受容領域（５８）に受容されている第２のフィルタ（１１）と前記第１のフィルタホイール（１８）の前記通過領域（３６）とが顕微鏡の光路内に配置されるように、前記第１のフィルタホイール（１８）と前記第２のフィルタホイール（２０）とが回転されていること、
を特徴とする顕微鏡。
【請求項１６】
回転軸線（１６）のまわりに回転可能に支持されているフィルタホイール（２０）と、
該フィルタホイール（２０）を前記回転軸線（１６）のまわりに回転させるための駆動ユニット（１４）と、
を備え、
前記フィルタホイール（２０）が、前記回転軸線（１６）のまわりに回転可能な本体（４４）と、着脱可能で且つ復元可能な結合部を介して前記本体（４４）と結合可能なセグメント（４６，４８，５０，５２，５４）とを有し、
前記セグメント（４６，４８，５０，５２，５４）がそれぞれ少なくとも１個のフィルタ（１１）を受容するための少なくとも２個の受容領域（５８，５９）を含んでいる、
顕微鏡用フィルタ受容装置。
【請求項１７】
前記セグメント（４６，４８，５０，５２，５４）がそれぞれ少なくとも１個のフィルタ（１１）を受容するための少なくとも３個の受容領域（５８，５９）を含んでいることを特徴とする、請求項１６に記載の顕微鏡用フィルタ受容装置。
【請求項１８】
前記着脱可能で且つ復元可能な結合部がねじ結合部（６２ないし７０）の形態で形成されていることを特徴とする、請求項１６または１７に記載の顕微鏡用フィルタ受容装置。
【請求項１９】
前記セグメント（４６，４８，５０，５２，５４）がリング状に形成されていることを特徴とする、請求項１６から１８までのいずれか一つに記載の顕微鏡用フィルタ受容装置。
【請求項２０】
前記セグメント（４６，４８，５０，５２，５４）が雌ねじを備えた取り付け孔（７２）を含み、該取り付け孔（７２）に、前記セグメント（４６，４８，５０，５２，５４）を前記本体（４４）に取り付けるために取り付け補助手段がねじ込み可能であることを特徴とする、請求項１６から１９までのいずれか一つに記載の顕微鏡用フィルタ受容装置。
【請求項２１】
前記フィルタホイール（２０）が、着脱可能で且つ復元可能な結合部を介して前記本体（４４）と結合可能な少なくとも２個のセグメント（４６，４８，５０，５２，５４）を含み、該セグメント（４６，４８，５０，５２，５４）が、それぞれ、それぞれ少なくとも１個のフィルタ（１１）を受容するための少なくとも２個の、好ましくは少なくとも３個の前記受容領域（５８，５９）を含んでいることを特徴とする、請求項１６から２０までのいずれか一つに記載の顕微鏡用フィルタ受容装置。
【請求項２２】
前記フィルタホイール（２０）が、それぞれ着脱可能で且つ復元可能な結合部を介して前記本体（４４）と結合可能な複数個のリングセグメント状のセグメント（４６，４８，５０，５２，５４）をそれぞれ含み、これらセグメント（４６，４８，５０，５２，５４）が協働して１つの閉じたリングを形成していることを特徴とする、請求項１６から２１までのいずれか一つに記載の顕微鏡用フィルタ受容装置。
【請求項２３】
前記フィルタホイール（２０）のすべての受容領域（５８，５９）が前記フィルタホイール（２０）の前記セグメント（４６，４８，５０，５２，５４）内に配置されていることを特徴とする、請求項１６から２２までのいずれか一つに記載の顕微鏡用フィルタ受容装置。
【請求項２４】
前記本体（４４）が少なくとも１個のフィルタ（１１）を受容するための少なくとも１個の受容領域を含んでいることを特徴とする、請求項１６から２２までのいずれか一つに記載の顕微鏡用フィルタ受容装置。
【請求項２５】
前記本体（４４）が、着脱可能で且つ復元可能な結合部を介して、特にねじ結合部を介して、軸で支持され、該軸の長手軸線が前記回転軸線（１６）と一致していることを特徴とする、請求項１６から２４までのいずれか一つに記載の顕微鏡用フィルタ受容装置。
【請求項２６】
前記駆動ユニット（１４）が前記フィルタホイール（２０）を回転させるための少なくとも１個のステッピングモータを含んでいることを特徴とする、請求項１６から２５までのいずれか一つに記載の顕微鏡用フィルタ受容装置。
【請求項２７】
前記駆動ユニット（１４）が前記フィルタホイール（２０）を回転させるために手動で操作可能な操作要素を含んでいることを特徴とする、請求項１６から２６までのいずれか一つに記載の顕微鏡用フィルタ受容装置。
【請求項２８】
請求項１６から２７までのいずれか一つに記載のフィルタ受容装置を備えた顕微鏡において、
第１の作動状態で、前記フィルタホイール（２０）の第１の受容領域（５８，５９）で受容されている第１のフィルタ（１１）が顕微鏡の光路内に配置されるように、前記フィルタホイール（２０）が回転されていること、
第２の作動状態で、前記フィルタホイール（２０）の第２の受容領域（５８，５９）で受容されている第２のフィルタ（１１）が顕微鏡の光路内に配置されるように、前記フィルタホイール（２０）が回転されていること、
を特徴とする顕微鏡。
【請求項２９】
請求項７から１４までのいずれか一つまたは請求項１６から２７までのいずれか一つに記載の顕微鏡用フィルタ受容装置或いは請求項１５または２８に記載の顕微鏡で使用するためのフィルタホイール用セグメントにおいて、
それぞれ少なくとも１個のフィルタ（１１）を受容するための少なくとも２個の受容領域（５８，５９）と、
回転軸線（１６）のまわりに回転可能な前記フィルタホイール（２０）の本体（４４）と着脱可能に且つ復元可能に結合させるための少なくとも１個の結合領域と、
を備えたフィルタホイール用セグメント。
【請求項３０】
前記セグメント（４６，４８，５０，５２，５４）がそれぞれ少なくとも１個のフィルタ（１１）を受容するための少なくとも３個の受容領域（５８，５９）を含んでいることを特徴とする、請求項２９に記載のフィルタホイール用セグメント。
【請求項３１】
前記結合領域に、前記セグメント（４６，４８，５０，５２，５４）をねじ（６８，７０）を用いて前記本体（４４）にねじ止め可能にするための少なくとも１個の孔（６４，６６）が設けられていることを特徴とする、請求項２９または３０に記載のフィルタホイール用セグメント。
【請求項３２】
前記孔（６４，６６）が第１の孔（６４，６６）であり、前記結合領域に、前記セグメント（４６，５４）をねじを用いて前記本体（４４）にねじ止め可能にするための少なくとも１個の第２の孔（６４，６６）が設けられていることを特徴とする、請求項３１に記載のフィルタホイール用セグメント。
【請求項３３】
前記セグメント（４６，４８，５０，５２，５４）がリングセグメント状であることを特徴とする、請求項２９から３２までのいずれか一つに記載のフィルタホイール用セグメント。
【請求項３４】
前記セグメント（４６，４８，５０，５２，５４）が雌ねじを備えた取り付け孔（７２）を含み、該取り付け孔（７２）に、前記セグメント（４６，４８，５０，５２，５４）を前記本体（４４）に取り付けるために取り付け補助手段をねじ込み可能であることを特徴とする、請求項２９から３３までのいずれか一つに記載のフィルタホイール用セグメント。
【請求項３５】
前記セグメント（４６，４８，５０，５２，５４）がライトバリアーの光線を遮断するための突出フラグ（９０）を含んでいることを特徴とする、請求項２９から３４までのいずれか一つに記載のフィルタホイール用セグメント。
【考案の詳細な説明】
【技術分野】
【０００１】
本考案は、回転軸線のまわりに回転可能に支持されるフィルタホイールを含み、該フィルタホイールがフィルタを受容するための複数個の受容領域を有している顕微鏡用フィルタ受容装置に関するものである。
【背景技術】
【０００２】
この種の受容装置は特に顕微鏡に組み込まれている。使用目的に応じては、優れた検出結果を得るために、異なるフィルタが顕微鏡の光路内に配置されていなければならない。このため、複数個のフィルタ受容領域を有するフィルタホイールを含み、該受容領域にそれぞれ１個のフィルタが接着されている顕微鏡が知られている。フィルタホイールは回転可能に支持されており、使用するフィルタがその都度光路内へ回転せしめられる。
【０００３】
このような顕微鏡で問題なのは、フィルタホイールに設けられていないフィルタが必要な場合、フィルタホイール全体を交換しなければならないことである。これにはかなりの時間コストが伴う。さらに、多数のフィルタホイールを準備しなければならず、高コストを伴う。また、これらのフィルタホイールが有する受容領域の数量は比較的少なく、その結果フィルタホイールを比較的頻繁に交換せねばならない。
【０００４】
特許文献１からは、６個のフィルタ受容部を有する１個のフィルタホイールを含み、６個のフィルタ受容部のそれぞれに１個のフィルタを接着可能なフィルタ交換器が知られている。さらにフィルタホイールは該フィルタホイールから側方へ取り外し可能な要素を有し、この要素に他のフィルタをねじ込むことができる。このフィルタ交換器において問題なのは、受容可能なフィルタの数量が比較的少なく、その結果フィルタ交換が頻繁に必要なことである。複数個のフィルタのうち１個のフィルタのみが交換可能であるため、フィルタホイールをかなり限定的にしか使用目的に適合できない。たとえば、フィルタホイールに継続的に受容されない２個の異なるフィルタを使用のために交互に必要とする場合、交換可能な位置を介してこれら両フィルタ間で常に交換を行わねばならない。
【先行技術文献】
【特許文献】
【０００５】
ＤＥ １９７ ０２ ７５４ Ｂ４
【考案の概要】
【考案が解決しようとする課題】
【０００６】
本考案の課題は、可能な限り広範に使用できる顕微鏡用フィルタ受容装置を提供することである。
【課題を解決するための手段】
【０００７】
この課題は、請求項１の構成を備えた装置、他の独立請求項の構成を備えた装置によって解決される。本考案の他の有利な構成は従属項に記載されている。
【０００８】
本考案の第１の観点によれば、フィルタ受容装置は、互いに独立で且つ同じ回転軸線のまわりに回転可能な２個のフィルタホイールを含み、これら両フィルタホイールは回転軸線の方向に見て互いに相対的にずれている。フィルタ受容装置は、さらに、回転軸線のまわりに第１のフィルタホイールを回転させ且つ第２のフィルタホイールを回転させるための駆動ユニットを有している。両フィルタホイールは、それぞれ、それぞれ少なくとも１個のフィルタを受容するための多数の受容領域と、フィルタリングせずに光を通過させるための通過領域とを有している。
【０００９】
第１のフィルタホイールの１個の受容領域で受容されている１個のフィルタを顕微鏡のために使用するため、第１のフィルタホイールを、前記フィルタが配置されている受容領域が顕微鏡の光路内に配置されるように回転させる。この場合、第２のフィルタホイールを、第１のフィルタホイールに配置されているフィルタのみが光をフィルタリングし、第２のフィルタホイールが光を阻害しないように回転させる。
【００１０】
逆に、第２のフィルタホイールに配置されているフィルタを使用するには、第２のフィルタホイールを、このフィルタが配置されている受容領域が顕微鏡の光路内へ回転されるように回転させる。対応的に、第１のフィルタホイールを、その通過領域が光路内に配置されるように回転させる。
【００１１】
このように、互いに独立に回転可能な２個のフィルタホイールを設けることにより、フィルタホイールの与えられた径で且つ与えられたフィルタサイズで、多数のフィルタをフィルタ受容装置に受容可能である。これにより、非常にコンパクトな構成で使用範囲が広がる。特に、フィルタホイールの必要な交換回数が減少する。
【００１２】
第１のフィルタホイールの通過領域は、特に、該第１のフィルタホイールのフィルタを装備させない受容領域によって形成され、第２のフィルタホイールの通過領域は該第２のフィルタホイールのフィルタを装備させない受容領域によって形成されている。両フィルタホイールの受容領域は、好ましくは、第１の径を備えた貫通孔と、第２の径を備えた、それぞれのフィルタホイールを完全に貫通していない第２の孔とを有し、第２の径は第１の径よりも大きい。受容領域に挿着されるフィルタは、第２の径よりもわずかに小さな径を有しており、その結果フィルタを第２の孔で受容してこれら接着させることができる。貫通孔は、抵当な受容領域を顕微鏡の光路内へ回転させると、顕微鏡に使用される光が貫通することができる。
【００１３】
第１のフィルタホイール内に配置される第１のフィルタを顕微鏡のために使用する第１の作動状態では、両フィルタホイールは、第１のフィルタが受容されている第１のフィルタホイールの第１の受容領域と第２のフィルタホイールの通過領域とが整列するように、回転せしめられる。第２のフィルタホイールの第２の受容領域で受容される第２のフィルタを顕微鏡のために使用する第２の作動状態では、両フィルタホイールは、第２の受容領域と第１のフィルタホイールの通過領域とが整列するように、回転せしめられる。このようにして、その都度所望のフィルタを簡単に顕微鏡に使用することができ、その際に他のフィルタホイールの作用が妨害されることがない。
【００１４】
第１または第２のフィルタホイールは、好ましくは、それぞれ着脱可能で且つ復元可能な結合部を介して軸で支持されており、該軸の長手軸線は回転軸線と一致している。従って、両フィルタホイールに受容されているフィルタが使用に適しておらず、他のフィルタを使用しなければならない場合には、両フィルタホイールを簡単に交換することができる。着脱可能で且つ復元可能な結合部は特にねじ結合部の形態で形成され、その結果両フィルタホイールを簡単に交換することができる。
【００１５】
駆動ユニットは、第１のフィルタホイールを回転させおよび／または第２のフィルタホイールを回転させるための少なくとも１個のステッピングモータを有している。これとは択一的に、２個のステッピングモータを設けてもよく、この場合それぞれのステッピングモータは両フィルタホイールの一方を回転させるために設けられる。フィルタホイールをモータで回転させることにより、フィルタホイールを手で回転させるのと比較して、フィルタホイールの精確な回転が達成され、その結果受容装置の操作が簡単になる。
【００１６】
これに加えて、または、これとは択一的に、駆動ユニットは、第１のフィルタホイールを回転させおよび／または第２のフィルタホイールを回転させるために手動で操作可能な操作要素を含んでいてもよい。特に、駆動ユニットは手動で操作可能な２個の操作要素を有し、この場合一方の操作要素は第１のフィルタホイールを回転させるために使用し、他方の操作要素は第２のフィルタホイールを回転させるために使用する。
【００１７】
本考案の特に有利な実施態様では、第１のフィルタホイールおよび／または第２のフィルタホイールは、それぞれ、第１の回転軸線のまわりに回転可能な本体と、着脱可能で且つ復元可能な結合部を介して本体と結合可能な少なくと１個のセグメントとを含んでいる。セグメントはそれぞれのフィルタホイールの受容領域のうちの少なくとも２つを含んでいる。これにより、１個のフィルタを交換するためにフィルタホイール全体を交換する必要がなく、セグメントのみを交換すればよい。２個の受容領域を設ける利点は、１回の作業工程で複数個のフィルタを交換でき、各フィルタの交換のために別個の作業工程を必要とないことである。特に、セグメントを介して、経験的に一緒に使用されることが多い２個のフィルタを一緒に交換することができる。
【００１８】
セグメントが、それぞれ少なくとも１個のフィルタを受容するための少なくとも３個の受容領域を含んでおり、その結果１個のセグメントの交換によってより多くの数量のフィルタを交換することができる。
【００１９】
本体とセグメントとの間を結合する着脱可能で且つ復元可能な結合部は特にねじ結合部の形態で形成され、この場合本体は、好ましくは、それぞれ雌ねじを備えた２個の孔を含み、セグメントは２個の貫通孔を含み、その結果セグメントを２本のねじを介して本体に確実にねじ止めすることができる。ねじ結合の利点は、ほぼ任意に解除したり結合させたりすることが頻繁にできることである。
【００２０】
セグメントは特にリングセグメント状に形成されている。セグメントの外径は、好ましくはフィルタホイールの外径に相当している。
【００２１】
さらに、セグメントが雌ねじを備えた取り付け孔を含んでいるのが有利である。セグメントを本体に取り付けるため、取り付け孔には、ピンまたはねじがねじ込み可能であり、ピンまたはねじを介してセグメントを簡単に手で保持することができ、他方着脱可能で復元可能な結合部を介してセグメントは本体に固定される。着脱可能で復元可能な結合を形成させた後、取り付け孔にねじ込まれるピンまたはねじを除去する。このようにして組み立て中にセグメントを特に快適に確実に操作することが達成される。
【００２２】
有利な実施態様では、第１のフィルタホイールおよび／または第２のフィルタホイールは、それぞれ、着脱可能で且つ復元可能な結合部を介して本体と結合可能な少なくとも２個のセグメントを含み、該セグメントは、それぞれ、それぞれのフィルタホイールの受容領域の少なくとも２個、好ましくは少なくとも３個を含んでいる。このようなセグメントを２個設けることにより、フィルタホイールのフィルタの組み合わせをその都度の使用例に対しより簡単に且つより好適に適合させることができ、その結果フィルタホイールおよび／またはセグメントの交換必要回数をさらに低減させることができる。
【００２３】
特に、第１のフィルタホイールのすべての受容領域および／または第２のフィルタホイールのすべての受容領域がそれぞれのフィルタホイールのセグメント内に配置されているのが有利である。このように構成すると、すべての受容領域を、よってその中に受容されているすべてのフィルタを、対応するセグメントを交換することによって簡単に交換することができる。
【００２４】
このため、第１のフィルタホイールまたは第２のフィルタホイールは、それぞれ着脱可能で且つ復元可能な結合部を介して本体と結合可能な複数個のリングセグメント状のセグメントを含み、これらセグメントは協働して１つの閉じたリングを形成している。特に５個のセグメントが設けられ、これらのセグメントはそれぞれ前記リングの７２゜の角度を有している。セグメントのそれぞれには２個または３個の受容領域が配置され、その結果多数のフィルタをフィルタホイールに受容させることができる。
【００２５】
さらに、フィルタ受容装置は、好ましくは、第１のフィルタホイールおよび／または第２のフィルタホイールの回転角を検出する少なくとも１個のセンサを有している。このようにして個々のフィルタホイールの回転角を簡単に検出でき、フィルタホイールを制御する際に回転角を考慮することができるので、フィルタホイールがその都度の使用例に必要な位置に回転していることが保証される。センサユニットは少なくとも１個のライトバリアーを含んでおり、この場合フィルタホイールには、半径方向に突出するフラグが配置され、該フラグがライドバリアーの光を遮断する。
【００２６】
さらに、フィルタ受容装置は少なくとも１個の他の第３のフィルタホイールを含んでいてよく、第３のフィルタホイールも同様に他の２個のフィルタホイールとは独立に前記回転軸線のまわりに回転可能である。第３のフィルタホイールは、その都度少なくとも１個のフィルタを受容するための多数の受容領域と、光をフィルタリングせずに通過させるための１個の通過領域とを有している。この第３のフィルタホイールは、第１のフィルタホイールおよび／または第２のフィルタホイールに対し前述した構成をもつように構成されていてよい。
【００２７】
本考案の他の観点は、上述したフィルタ受容装置を含んでいる顕微鏡に関する。フィルタ受容装置は特に顕微鏡のケーシングの内部に配置され、ケーシングは少なくとも１個のカバーを含み、該カバーはフィルタホイールおよび／またはセグメントを交換するために開口させることができる。第１の作動状態では、第１のフィルタホイールの第１の受容領域に受容されている第１のフィルタと第２のフィルタホイールの通過領域とが顕微鏡の光路内に配置されるように、第１のフィルタホイールと第２のフィルタホイールとが回転されている。これに対し、第２の作動状態では、第２のフィルタホイール）の第２の受容領域に受容されている第２のフィルタと第１のフィルタホイールの通過領域とが顕微鏡の光路内に配置されるように、第１のフィルタホイールと第２のフィルタホイールとが回転されている。従って、フィルタホイールで受容されているすべての顕微鏡用フィルタを使用することができる。
【００２８】
本考案の他の観点は、回転軸線のまわりに回転可能に支持されているフィルタホイールと、該フィルタホイールを回転軸線のまわりに回転させるための駆動ユニットとを備えた顕微鏡用フィルタ受容装置に関わる。フィルタホイールは、回転軸線のまわりに回転可能な本体と、着脱可能で且つ復元可能な結合部を介して本体と結合可能なセグメントとを有している。セグメントはそれぞれ少なくとも１個のフィルタを受容するための少なくとも２個の受容領域を含んでいる。
【００２９】
着脱可能で且つ復元可能な結合部を介して本体と結合可能なセグメントにより、フィルタホイール全体を交換する必要はなく、１個のフィルタを交換するために１個のセグメントのみを交換すればよい。セグメントに２個の受容領域を設けることにより、複数個のフィルタを一緒に交換することができ、その結果フィルタを交換するために必要な作業工程が低減する。
【００３０】
フィルタホイールは、本考案の第１の観点に従ってフィルタ受容装置の第１または第２のフィルタホイールをセグメント化した構成に対応して構成してよい。同様に、第１の観点との関連で説明したフィルタホイールの構成、特にセグメントの構成により、この第２実施態様でも前述の利点が達成される。第２実施態様には、第１実施態様に比べて、１個のフィルタホイールしか設けられていないので、構成がより簡潔になるという利点がある。
【００３１】
フィルタホイールは、それぞれ着脱可能で且つ復元可能な結合部を介して本体と結合可能な複数個のリングセグメント状のセグメントをそれぞれ含み、これらセグメントはそれぞれ１個のフィルタを受容するための２個または３個の受容領域を有している。特に、これらセグメントは共同して１つのリングを形成しており、その結果フィルタのすべての受容領域はセグメント内に配置されて、すべての受容領域はその中に受容されているフィルタとともに交換することができる。
【００３２】
本考案の択一的な実施態様では、本体自体が少なくとも１個のフィルタを受容するための少なくとも１個の受容領域を含んでいてよい。このケースでは、フィルタホイールの受容領域の一部のみが、すなわちフィルタホイールのセグメント内に配置されている部分のみが交換可能である。
【００３３】
本考案の他の観点は、最後に述べた実施態様によるフィルタ受容装置を含んでいる顕微鏡に関わる。第１の作動状態では、フィルタホイールの第１の受容領域で受容されている第１のフィルタが顕微鏡の光路内に配置されるように、フィルタホイールが回転され、第２の作動状態では、フィルタホイールの第２の受容領域で受容されている第２のフィルタが顕微鏡の光路内に配置されるように、フィルタホイールが回転されている。従って、フィルタホイールを回転させることによって、必要とするフィルタを光路内で位置決めすることができる。
【００３４】
本考案の他の観点は、フィルタホイール用セグメントに関わり、該フィルタホイール用セグメントは、それぞれ少なくとも１個のフィルタを受容するための少なくとも２個の受容領域と、回転軸線のまわりに回転可能なフィルタホイールの本体と着脱可能に且つ復元可能に結合させるための少なくとも１個の結合領域とを含んでいる。このセグメントは、前述のフィルタ受容装置との関連で説明した構成を備えるように構成することができる。
【００３５】
本考案の他の構成および利点は、添付の図面を用いて実施形態に関し記載した以下の説明から明らかである。
【図面の簡単な説明】
【００３６】
【図１】フィルタ受容装置の斜視図である。
【図２】図１の装置の他の斜視図である。
【図３】図１および図２の装置のフィルタホイール対の斜視図である。
【図４】図３のフィルタホイール対の第１のフィルタホイールの斜視図である。
【図５】図３のフィルタホイール対の第２のフィルタホイールの斜視図である。
【図６】図５の第２のフィルタホイールの本体の斜視図である。
【図７】図５の第２のフィルタホイールの第１のセグメントの斜視図である。
【図８】図５の第２のフィルタホイールの第２のセグメントの斜視図である。
【図９】図５の第２のフィルタホイールの第３のセグメントの斜視図である。
【考案を実施するための形態】
【００３７】
図１には、フィルタ１１を受容するための装置１０の斜視図が示されている。装置１０は特に顕微鏡に使用され、その都度の使用に必要なフィルタ１１をその都度顕微鏡の光路内で位置決めする。
【００３８】
図２は装置１０の他の斜視図であり、図２では、わかりやすくするために駆動ユニット１４のケーシング１２を取り外して図示している。
【００３９】
装置１０は、駆動ユニット１４を用いて回転軸線１６のまわりに回転可能な第１のフィルタホイール１８と、駆動ユニット１４を用いて同様にこの回転軸線１６のまわりに回転可能な第２のフィルタホイール２０とを含んでいる。両フィルタホイール１８，２０は互いに独立に回転軸線１６のまわりに回転可能であり、すなわち両フィルタホイール１８，２０のうちの一方が回転しても、他方のフィルタホイール２０，１８が自動的に一緒に回転することはない。
【００４０】
両フィルタホイール１８，２０はいわゆるフィルタホイール対２２を形成しており、このフィルタホイール対を取り出して図３に示す。
【００４１】
図４は第１のフィルタホイール１８の斜視図である。第１のフィルタホイール１８は７個の受容領域２４，２６，２８，３０，３２，３６，３８を有し、これらの受容領域のそれぞれに１個のフィルタ１１を受容させることができる。受容領域３８は他の受容領域２４，２６，２８，３０，３２，３６よりも大きく形成され、偏向フィルタを受容するために設けられている。６個の受容領域２４，２６，２８，３０，３２，３６は同一に構成され、それぞれ２個の孔を有しており、小さいほうの孔は貫通孔であり、この貫通孔によって光を通過させるための開口部４０が形成されている。さらに、両孔によって載置領域４２が形成され、該載置領域４２に、図４に図示していないフィルタ１１をそれぞれの受容領域２４，２６，２８，３０，３２，３６に受容するときに載置する。特に、フィルタ１１はそれぞれの受容領域２４，２６，２８，３０，３２，３６，３８に接着される。
【００４２】
第１のフィルタホイール１８にフィルタを装備させる場合、６個の受容領域２４，２６，２８，３０，３２，３６のうちたかだか５個の受容領域にフィルタ１１を挿着し、その結果受容領域２４，２６，２８，３０，３２，３６のうちの少なくとも１個は空いたままである。フィルタを装備していないこの空の受容領域２４，２６，２８，３０，３２，３６は、光をフィルタリングせずに通過させる通過領域として用いる。これとは択一的な実施形態では、これらの通過領域を、フィルタ１１が実際に受容される受容領域２４，２６，２８，３０，３２，３６とは別様に構成してもよい。特に、通過領域の径はフィルタ１１の径よりも小さい。これにより、誤ってすべての受容領域２４，２６，２８，３０，３２，３６がフィルタ１１で装備されないよう保証される。
【００４３】
図５は第２のフィルタホイール２０の斜視図である。第２のフィルタホイール２０は、駆動ユニット１４を介して回転軸線１６のまわりに回転可能な本体４４と、それぞれ取り外し可能で且つ復元可能な結合部を介して本体４４と結合可能な５個のセグメント４６，４８，５０，５２，５４とを含んでいる。少なくとも１個のフィルタ１１を受容するため、セグメント４６，４８，５０，５４はそれぞれ３個の受容領域５８，５９を有し、セグメント５２は２個の受容領域５８，５９を有している。セグメント４６，４８，５０，５２，５４の受容領域５８，５９は特に第１のフィルタホイール１８の受容領域２４，２６，２８，３０，３２，３６と同一に構成されている。受容領域２４，２６，２８，３０，３２，３６の中心は、セグメント４６，４８，５０，５２，５４の受容領域５８，５９の中心と同様に回転軸線１６に対しそれぞれ等間隔で位置している。
【００４４】
図６は本体４４の斜視図である。図７ないし図９はそれぞれ第２のフィルタホイール２０のセグメント４６，４８，５０，５２，５４の１つの斜視図である。
【００４５】
本体４４は、１０個の載置領域６０と、同様に１０個の孔６２とを有し、これら載置領域６０のそれぞれ２個と孔６２のそれぞれ２個とはセグメント４６，４８，５０，５２，５４の１つを固定するために用いる。セグメントはそれぞれ２個の孔６４，６６を有し、セグメント４６，４８，５０，５２，５４を固定するため、これらセグメントは、取り外し可能で且つ復元可能な結合部を介して、孔６４，６６を取り囲んでいる部分領域でもって載置領域６０上に載置され、それぞれ１個のねじ６８，７０が孔６４，６６を貫通して本体４４の孔６０の雌ねじに噛み合う。従って、本体４４の下でのセグメント４６，４８，５０，５２，５４間の確実で、しかし着脱可能で且つ復元可能なねじ結合が達成される。１個のセグメント４６，４８，５０，５２，５４につき２個のねじ６８，７０を介して固定することにより、特に、本体４４に対するセグメント４６，４８，５０，５２，５４の正確な位置決めが保証されている。
【００４６】
さらに、前記ねじ結合により、セグメント４６，４８，５０，５２，５４を簡単に交換できるようになり、その結果１個のフィルタ１１の交換のためにフィルタホイール２０全体を交換する必要はなく、対応するフィルタ１１が配置されているセグメント４６，４８，５０，５２，５４のみを交換すればよい。従って、特に、第２のフィルタホイール２０の構成をその都度の使用例に対し簡単に適合させることができる。
【００４７】
図９に図示したセグメント０は、側部に、雌ねじを備えた取り付け孔７２を有している。雌ねじには、セグメント５０を本体４４に取り付ける際にピンまたはねじをねじ込むことができ、このピンまたはねじを介してセグメント５０を簡単に保持することができる。セグメント５０を本体４４にねじ止めした後、前記ねじまたは前記ねじを再び取り付け孔７２から取り除く。
【００４８】
すでに第１のフィルタホイール１８に対し述べたように、第２のフィルタホイール２０の場合も、少なくとも１個の受容領域５９は装備しないままであり、すなわち該受容領域にはフィルタ１１を配置しない。
【００４９】
前述したように、両フィルタホイール１８，２０は互いに独立に駆動ユニット１４を介して回転軸線１６のまわりに回転可能である。第１のフィルタホイール１８に配置されている１個のフィルタ１１を顕微鏡に使用する場合は、このフィルタ１１が顕微鏡の光路内に配置されるように第１のフィルタホイール１８を回転させる。第２のフィルタホイール２０は、装備されていない受容領域５９、よって通過領域として用いられる受容領域５９が、同様に顕微鏡の光路内に配置されて、光が第１のフィルタホイール１８に配置されているフィルタ１１だけによってフィルタリングされるように、回転させる。
【００５０】
対応的に、光を第２のフィルタホイール２０に配置されているフィルタ１１でフィルタリングするため、このフィルタ１１を光路内へ回転させ、その際第１のフィルタホイール１８を、装備されていない、通過領域として用いられる受容領域２４，２６，２８，３０，３２，３６が光路内に配置されるように、回転させる。
【００５１】
このように、総じて多数のフィルタ１１を受容できるにもかかわらず、非常にコンパクトな装置１０が達成される。さらに、第２のフィルタホイール２０の個々のセグメントを交換することにより、装置１０をその都度の使用例に簡単に適合できることが達成される。
【００５２】
第１のフィルタホイール１８と第２のフィルタホイール２０の本体４４とは、特に、同様に着脱可能で且つ復元可能な結合部を介して支持されており、その結果フィルタホイール１８，２０も同様に簡単に交換することができる。第２のフィルタホイール２０は、１個または複数個のセグメント４６，４８，５０，５２，５４を交換するために、特に顕微鏡から取り外される。
【００５３】
本考案の択一的な実施形態では、第２のフィルタホイール２０のみが取り外し可能で、これに対し第１のフィルタホイール１８は顕微鏡内に継続的に残るようにしてもよい。
【００５４】
本考案の他の択一的な実施形態では、第２のフィルタホイール２０に対して説明したように、両フィルタホイール１８，２０ともセグメント状に形成されていてよく、すなわち両フィルタホイール１８，２０がそれぞれ１つの本体４４と、該補遺体と結合可能な複数個のセグメント４６，４８，５０，５２，５４を含んでいてよい。また、両フィルタホイールを第１のフィルタホイール１８に対応して一体に形成すること、すなわち交換可能なセグメント４６，４８，５０，５２，５４を設けずに形成してもよい。
【００５５】
さらに、択一的に、第２のフィルタホイール２０が５個のセグメント４６，４８，５０，５２，５４よりも多くのセグメントまたは少ないセグメントを含んでいてもよく、たとえば４個または６個のセグメント４６，５４を含んでいてもよい。また、セグメント４６，４８，５０，５２，５４は３個の受容領域５８，５９よりも多くの受容領域、すなわち４個の受容領域５８，５９を含んでいてもよい。さらに、本体４４自体がフィルタ１１を受容するための受容領域を含み、第２のフィルタホイール２０の受容領域５８，５９の一部分のみがセグメント４６，４８，５０，５２，５４に配置され、よって簡単に交換可能にしてよい。
【００５６】
第１のフィルタホイール１８も第２のフィルタホイール２０もそれぞれ該フィルタホイール１８，２０から半径方向へ突出するフラグ９０，９２を有し、これらのフラグを介して、両フィルタホイール１８，２０のその都度の回転位置をライトバリアーを用いて検出することができる。
【００５７】
択一的な実施形態では、装置１０は、１個のフィルタホイール対２２の代わりに、第２のフィルタホイール２０のみを含んでいてよい。従って、受容領域５８の数量は減少するものの、装置１０の構成をより簡潔にすることができる。
【符号の説明】
【００５８】
１０          フィルタ受容装置
１１          フィルタ
１２          ケーシング
１４          駆動ユニット
１６          回転軸線
１８，２０    フィルタホイール
２２          フィルタホイール対
２４，２６，２８，３０，３２，３６，５８，５９  フィルタ受容領域
４０          開口部
４２          載置領域
４６，４８，５０，５２，５４    セグメント
６０          載置領域
６２          孔
６４，６６    孔
６８，７０    ねじ
７２          取り付け孔
９０，９２    フラグ
【図１】
0003176006.tif 000003
【図２】
0003176006.tif 000004
【図３】
0003176006.tif 000005
【図４】
0003176006.tif 000006
【図５】
0003176006.tif 000007
【図６】
0003176006.tif 000008
【図７】
0003176006.tif 000009
【図８】
0003176006.tif 000010
【図９】
0003176006.tif 000011